(57)【要約】　　　（修正有）【課題】レッドブック・フォーマットで保持されたデータと、そのデータを変換するために、イエローブック・フォーマットで保持された実行可能コードとを含むＣＤを記録および再生する方法を提供する。【解決手段】レッドブック符号化フォーマットで保持されたデータは、レッドブック非符号化フォーマットで保持され、変換済みコンテンツを表す現在再生不可能データからレッドブック符号化された変換済みコンテンツは、入力コンテンツから変換されたコンピュータ実行可能コードにより、コンピュータは、レッドブック符号化フォーマットで保持されたデータを光学的に読み取り、レッドブック符号化フォーマットで保持されたデータを現在再生不可能データにレッドブック復号し、現在再生不可能データを、入力コンテンツをほぼ表す現在再生可能再構築データに変換する。【選択図】　図１
2004005921.tif 000002
【特許請求の範囲】
【請求項１】
ＣＤから、イエローブック符号化フォーマットで保持されたコンピュータ実行可能コードを光学的に読み取るステップを備え、コンピュータ実行可能コードをコンピュータが実行すると、コンピュータは、
ＣＤから、レッドブック符号化フォーマットで保持されたデータを光学的に読み取り、データは、レッドブック非符号化フォーマットで保持された変換済みコンテンツを表す現在再生不可能データからレッドブック符号化され、変換済みコンテンツは入力コンテンツから変換され、コンピュータはさらに、
レッドブック符号化フォーマットで保持されたデータを、現在再生不可能データにレッドブック復号し、
現在再生不可能データを、コンピュータ実行可能コードに表された少なくとも１つの解凍ルーチンにより、入力コンテンツをほぼ表す現在再生可能再構築データに変換する、
コンピュータ実行可能コードを実行する方法。
【請求項２】
コンピュータ実行可能コードを光学的に読み取るステップが、ＩＢＭ互換性コンピュータによって読取り可能なセクションと、マッキントッシュ互換性コンピュータによって読取り可能なセクションとの一方を光学的に読み取ることを含む請求項１に記載の方法。
【請求項３】
レッドブック符号化フォーマットで保持されたデータが、レッドブック符号化フォーマットで保持されたデータによって表されたコンテンツのタイプを識別する請求項１に記載の方法。
【請求項４】
入力コンテンツが、入力ビデオコンテンツである請求項１に記載の方法。
【請求項５】
入力コンテンツが、レッドブック符号化フォーマットによって可能になるサンプリング周波数より高いサンプリング周波数でサンプリングされた入力音声コンテンツである請求項１に記載の方法。
【請求項６】
入力コンテンツが、レッドブック符号化フォーマットによって可能になるワード長より長いワード長でサンプリングされた入力音声コンテンツである請求項１に記載の方法。
【請求項７】
入力コンテンツが、レッドブック符号化フォーマットによって可能になるチャネルの数より多いチャネルを含んでいる入力音声コンテンツである請求項１に記載の方法。
【請求項８】
ＣＤ上に、イエローブック符号化フォーマットで保持されたコンピュータ実行可能コードを光学的に記録するステップを備え、コンピュータ読取り可能コードをコンピュータが実行すると、コンピュータは、
ＣＤから、レッドブック符号化フォーマットで保持されたデータを光学的に読み取り、データは、レッドブック非符号化フォーマットで保持された変換済みコンテンツを表す現在再生不可能データからレッドブック符号化され、変換済みコンテンツは入力コンテンツから変換され、コンピュータはさらに、
レッドブック符号化フォーマットで保持されたデータを、現在再生不可能データにレッドブック復号し、
現在再生不可能データを、コンピュータ実行可能コードに表された少なくとも１つの解凍ルーチンにより、入力コンテンツをほぼ表す現在再生可能再構築データに変換し、
ＣＤ上に、レッドブック符号化フォーマットで保持されたデータを光学的に記録する方法。
【請求項９】
コンピュータ実行可能コードを光学的に読み取るステップが、ＩＢＭ互換性コンピュータによって読取り可能なセクションと、マッキントッシュ互換性コンピュータによって読取り可能なセクションとを光学的に記録することを含む請求項８に記載の方法。
【請求項１０】
レッドブック符号化フォーマットで保持されたデータが、レッドブック符号化フォーマットで保持されたデータによって表されたコンテンツのタイプを識別する請求項８に記載の方法。
【請求項１１】
入力コンテンツが、入力ビデオコンテンツである請求項８に記載の方法。
【請求項１２】
入力コンテンツが、レッドブック符号化フォーマットによって可能になるサンプリング周波数より高いサンプリング周波数でサンプリングされた入力音声コンテンツである請求項８に記載の方法。
【請求項１３】
入力コンテンツが、レッドブック符号化フォーマットによって可能になるワード長より長いワード長でサンプリングされた入力音声コンテンツである請求項８に記載の方法。
【請求項１４】
入力コンテンツが、レッドブック符号化フォーマットによって可能になるチャネルの数より多いチャネルを含んでいる入力音声コンテンツである請求項８に記載の方法。
【請求項１５】
命令を提供するマシン読取り可能媒体であって、この命令をマシンが実行すると、マシンは、
ＣＤ上に、イエローブック符号化フォーマットで保持されたコンピュータ実行可能コードを光学的に記録することを含むオペレーションを実行し、このコンピュータ実行可能コードをコンピュータが実行すると、コンピュータは、
ＣＤから、レッドブック符号化フォーマットで保持されたデータを光学的に読み取り、データは、レッドブック非符号化フォーマットで保持された変換済みコンテンツを表す現在再生不可能データからレッドブック符号化され、変換済みコンテンツは入力コンテンツから変換され、コンピュータはさらに、
レッドブック符号化フォーマットで保持されたデータを、現在再生不可能データにレッドブック復号し、
現在再生不可能データを、コンピュータ実行可能コードに表された少なくとも１つの解凍ルーチンにより、入力コンテンツをほぼ表す現在再生可能再構築データに変換し、
レッドブック符号化フォーマットで保持されたデータを、ＣＤ上に光学的に記録するマシン読取り可能媒体。
【請求項１６】
コンピュータ実行可能コードを光学的に読み取るステップが、ＩＢＭ互換性コンピュータによって読取り可能なセクションと、マッキントッシュ互換性コンピュータによって読取り可能なセクションとを光学的に記録することを含む請求項１５に記載のマシン読取り可能媒体。
【請求項１７】
レッドブック符号化フォーマットで保持されたデータが、レッドブック符号化フォーマットで保持されたデータによって表されたコンテンツのタイプを識別する請求項１５に記載のマシン読取り可能媒体。
【請求項１８】
入力コンテンツが、入力ビデオコンテンツである請求項１５に記載のマシン読取り可能媒体。
【請求項１９】
入力コンテンツが、レッドブック符号化フォーマットによって可能になるサンプリング周波数より高いサンプリング周波数でサンプリングされた入力音声コンテンツである請求項１５に記載のマシン読取り可能媒体。
【請求項２０】
入力コンテンツが、レッドブック符号化フォーマットによって可能になるワード長より長いワード長でサンプリングされた入力音声コンテンツである請求項１５に記載のマシン読取り可能媒体。
【請求項２１】
入力コンテンツが、レッドブック符号化フォーマットによって可能になるチャネルの数より多いチャネルを含んでいる入力音声コンテンツである請求項１５に記載のマシン読取り可能媒体。
【請求項２２】
ＣＤであって、イエローブック符号化フォーマットで保持されたコンピュータ実行可能コードを記憶する第１部分を備え、
コンピュータ実行可能コードをコンピュータが実行すると、コンピュータは、
ＣＤの第２部分から、レッドブック符号化フォーマットで保持されたデータを光学的に読み取り、データは、レッドブック非符号化フォーマットで保持された変換済みコンテンツを表す現在再生不可能データからレッドブック符号化され、変換済みコンテンツは入力コンテンツから変換され、コンピュータはさらに、
レッドブック符号化フォーマットで保持されたデータを現在再生不可能データにレッドブック復号し、
現在再生不可能データを、コンピュータ実行可能コードに表された少なくとも１つの解凍ルーチンにより、入力コンテンツをほぼ表す現在再生可能再構築データに変換し、ＣＤはさらに、
レッドブック符号化フォーマットで保持されたデータを記憶する第２部分とを備えるＣＤ。
【請求項２３】
第１部分が、ＩＢＭ互換性コンピュータによって読取り可能なセクションと、マッキントッシュ互換性コンピュータによって読取り可能なセクションとを含む請求項２２に記載のＣＤ。
【請求項２４】
第２部分が、レッドブック符号化フォーマットで保持されたデータによって表されたコンテンツのタイプを識別する識別子を含む請求項２２に記載のＣＤ。
【請求項２５】
入力コンテンツが、入力ビデオコンテンツである請求項２２に記載のＣＤ。
【請求項２６】
入力コンテンツが、レッドブック符号化フォーマットによって可能になるサンプリング周波数より高いサンプリング周波数でサンプリングされた入力音声コンテンツである請求項２２に記載のＣＤ。
【請求項２７】
入力コンテンツが、レッドブック符号化フォーマットによって可能になるワード長より長いワード長でサンプリングされた入力音声コンテンツである請求項２２に記載のＣＤ。
【請求項２８】
入力コンテンツが、レッドブック符号化フォーマットによって可能になるチャネルの数より多いチャネルを含んでいる入力音声コンテンツである請求項２２に記載のＣＤ。
【請求項２９】
各ＣＤが、
レッドブック符号化フォーマットで保持されたデータを記憶する第１部分と、
イエローブック符号化フォーマットで保持されたコンピュータ実行可能コードを記憶する第２部分であって、コンピュータ実行可能コードをコンピュータが実行すると、コンピュータはレッドブック符号化フォーマットで保持されたデータを解凍する第２部分とを含む複数のＣＤを分配するステップと、
各アウトゴーイング変換デバイスが、
別々のＣＤ再生デバイスのデジタル出力コネクタと取外し式に結合される入力と、
レッドブック符号化フォーマットで保持されたデータを解凍するために、入力に結合された事後レッドブック復号変換ユニットとを含む複数のアウトゴーイング変換デバイスを分配するステップとを備える方法。
【請求項３０】
レッドブック符号化フォーマットで保持されたデータが宣伝を表す請求項２９に記載の方法。
【請求項３１】
ＣＤの１つが、アウトゴーイング変換デバイスの１つで分配される請求項２９に記載の方法。
【請求項３２】
ＣＤを分配するステップと、
複数のアウトゴーイング変換デバイスを分配するステップとを備え、
各アウトゴーイング変換デバイスは、
別々のＣＤ再生デバイスのデジタル出力コネクタと取外し式に結合される入力と、
入力コンテンツを変換することによって生成され、レッドブック非符号化フォーマットで保持された現在再生不可能データを受信して、入力コンテンツをほぼ表す現在再生可能再構築データを生成するために、入力と結合された事後レッドブック復号変換ユニットとを備え、現在再生不可能データが、ＣＤの１つの上に記憶され、レッドブック符号化フォーマットで保持されたデータからレッドブック復号されたものである方法。
【請求項３３】
入力コンテンツが宣伝である請求項３２に記載の方法。
【請求項３４】
ＣＤの１つが、アウトゴーイング変換デバイスの１つで分配される請求項３２に記載の方法。
【請求項３５】
イエローブック符号化フォーマットで保持されたコンピュータ実行可能コードを記憶する第１部分と、レッドブック符号化フォーマットで保持されたデータを記憶する第２部分とを含んでいるＣＤを含むＣＤドライブであって、データが、レッドブック非符号化フォーマットで保持された、変換済みコンテンツを表す現在再生不可能データからレッドブック符号化され、変換済みコンテンツが入力コンテンツから変換された、ＣＤドライブと、
ＣＤドライブに結合されたバスと、
コンピュータ実行可能コードを実行し、コンピュータ実行可能コードに表された少なくとも１つの解凍ルーチンの実行に応答して、現在再生不可能データを受信し、それから、入力コンテンツをほぼ表す現在再生可能再構築データを生成するために、バスに結合された処理ユニットとを備えるシステム。
【請求項３６】
第１部分が、ＩＢＭ互換性コンピュータによって読取り可能なセクションと、マッキントッシュ互換性コンピュータによって読取り可能なセクションとを含む請求項３５に記載のシステム。
【請求項３７】
第２部分が、レッドブック符号化フォーマットで保持されたデータによって表されたコンテンツのタイプを識別する識別子を含む請求項３５に記載のシステム。
【請求項３８】
入力コンテンツが、入力ビデオコンテンツである請求項３５に記載のシステム。
【請求項３９】
入力コンテンツが、レッドブック符号化フォーマットによって可能になるサンプリング周波数より高いサンプリング周波数でサンプリングされた入力音声コンテンツである請求項３５に記載のシステム。
【請求項４０】
入力コンテンツが、レッドブック符号化フォーマットによって可能になるワード長より長いワード長でサンプリングされた入力音声コンテンツである請求項３５に記載のシステム。
【請求項４１】
入力コンテンツが、レッドブック符号化フォーマットによって可能になるチャネルの数より多いチャネルを含む入力音声コンテンツである請求項３５に記載のシステム。
【請求項４２】
コンピュータ実行可能コードを含んでいるＣＤから、レッドブック符号化フォーマットで保持されたデータを光学的に読み取るステップを備え、データは、レッドブック非符号化フォーマットで保持された、変換済みコンテンツを表すレッドブック符号化データによって生成され、変換済みコンテンツは入力コンテンツから変換されたものであり、さらに、
レッドブック符号化フォーマットで保持されたデータをレッドブック非符号化フォーマットで保持されるデータにレッドブック復号するステップと、
レッドブック非符号化フォーマットで保持されたデータを、ＣＤ再生デバイスからデジタル出力コネクタを通して伝送するステップと、
デジタル出力コネクタと取外し式に結合された別個のアウトゴーイング変換デバイスにおいて、レッドブック非符号化フォーマットで保持された受信データを、入力コンテンツをほぼ表す再構築データに変換するステップとを備える方法。
【請求項４３】
入力コンテンツが入力ビデオコンテンツである請求項４２に記載のＣＤ。
【請求項４４】
入力コンテンツが、レッドブック符号化フォーマットによって可能になるサンプリング周波数より高いサンプリング周波数でサンプリングされた入力音声コンテンツである請求項４２に記載のＣＤ。
【請求項４５】
入力コンテンツが、レッドブック符号化フォーマットによって可能になるワード長より長いワード長でサンプリングされた入力音声コンテンツである請求項４２に記載のＣＤ。
【請求項４６】
入力コンテンツが、レッドブック符号化フォーマットによって可能になるチャネルの数より多いチャネルを含んでいる入力音声コンテンツである請求項４２に記載のＣＤ。
【発明の詳細な説明】
【０００１】
（発明の分野）
本発明は、データの記憶と検索の分野に関する。より具体的には、本発明は、ＣＤにデータを記録し、再生することに関する。
【０００２】
（発明の背景）
音声コンテンツをコンパクト・ディスク（「ＣＤ」）に記録して、その後、コンパクト・ディスク（「ＣＤ」）から再生することができることがよく知られている。ＣＤに関する音声コンテンツの記憶と再生に含まれる処理は、いくつかの段階からなり、レッドブック仕様と呼ばれる標準的な仕様に従う符号化と復号化が含まれる。
【０００３】
記憶プロセスは、本明細書では「入力音声コンテンツ」と呼ぶアナログ音声コンテンツから開始される。次いで、入力音声コンテンツをサンプリングする。サンプリングにより、サンプリング済み音声コンテンツを表す「現在再生可能」データが生成され、レッドブック非符号化フォーマット（レッドブック符号化のために、レッドブック仕様に受入れ可能なフォーマット）で保持される。この現在再生可能データは、ある品質を特徴とする。データは、その段階で「現在再生可能」であるが、その理由は、デジタル・アナログ変換器に入力として提示された場合、デジタル・アナログ変換器は、データがスピーカに入力された場合に、データが表すサンプリング済み音声コンテンツとして人が認識することができる音声をスピーカに生成させるアナログ信号を応答して出力するからである。
【０００４】
次いで、レッドブック非符号化フォーマットで保持された、サンプリング済み音声コンテンツを表す現在再生可能データをレッドブック符号化する。レッドブック符号化により、レッドブック符号化フォーマットのデータが生成される。次いで、レッドブック符号化フォーマットのデータをＣＤに光学的に記録する。
【０００５】
再生プロセスは、ＣＤを光学的に読み取ることから開始される。光学読取りにより、以前にＣＤ上に光学的に記録されたものと同じデータがレッドブック符号化フォーマットで生成される。次いで、レッドブック符号化フォーマットのデータをレッドブック復号する。この復号プロセスには、レッドブック仕様によって決められたエラー訂正が含まれる。レッドブック復号により、上記で議論したサンプリングによって生成されたものと同じ現在再生可能データが生成され、これは、サンプリング済み音声コンテンツを表し、レッドブック非符号化フォーマットで保持される。
【０００６】
残念ながら、サンプリング・プロセスに内在する影響により、出力されたサンプリング済み音声コンテンツは、上記で言及した入力音声コンテンツより品質が劣る。品質は、サンプリング周波数とワード長によって影響を受ける。レッドブック仕様によって指定されたサンプリング周波数は４４．１ｋＨｚである。レッドブック仕様により指定されたワード長は１６ビットである。サンプリング周波数にワード長を乗算することによって、ビット・レートを獲得することができる。ビット・レートは品質のインジケータであり、ビット・レートが高くなるとコンテンツの品質は高くなる。
【０００７】
そのような品質の低下を克服する努力として、なかでも、スーパー・オーディオＣＤ（「ＳＡＣＤ」）仕様が開発された。ＳＡＣＤ仕様は、レッドブック符号化によって符号化することができるよりも、高品質のデータ（より高いサンプリング周波数とより長いワード長とを有する）の符号化を行う。しかし、レッドブック符号化フォーマットのデータによって表された音声コンテンツを再生するように構築された多くの既存のデバイスは、ＳＡＣＤ仕様に従って符号化されたデータが表す音声コンテンツを再生することができない。
【０００８】
レッドブック符号化の制約を克服する他の努力として、ハイ・デフィニション・コンパチブル・デジタル（「ＨＤＣＤ」）と呼ばれる仕様の開発が行われた。ＨＤＣＤに従って、音声コンテンツを表すデータのあるビットの範囲内で表された相対的に聞こえない音は、上記で議論したサンプリングでは保存されないより意味のある音声情報によって置き換えられる。ＨＤＣＤ符号化により、サンプリング済み音声コンテンツをほぼ表す現在再生可能データが生成される。ほぼであるのは、そのサンプリング済みデータコンテンツの一部が、サンプリング済み音声コンテンツには当初なかった異なる音声コンテンツによって代用、または置換されているからである。レッドブック符号化フォーマットのデータによって表された音声コンテンツを再生することはできるが、ＨＤＣＤ復号を実施することができないデバイスでは、ＨＤＣＤ符号化データにより、レッドブック符号化フォーマットのデータなどの非ＨＤＣＤ符号化データによって生成された出力と比較して、わずかに質の低下した出力が生成される。この質の低下は、ＨＤＣＤ符号化により置換された音声コンテンツの損失と、損失音声コンテンツの代わりに代用した異なる音声コンテンツの解釈が不能であることとによって生じる。その装置に内蔵のＨＤＣＤ復号ユニットによるＨＤＣＤ復号を実施することができるデバイスでは、ＨＤＣＤ符号化データにより、非ＨＤＣＤ符号化データによって生成された出力より質の高い出力が生成される。
【０００９】
音声コンテンツ以外のタイプのコンテンツをＣＤに記録し、かつＣＤから再生することができる程度まで、レッドブック仕様とは異なる規格が、それぞれの異なるコンテンツタイプに対して開発されてきた。たとえば、ビデオコンテンツは、ホワイトブック仕様に従って符号化されるとＣＤに記憶することができる。ホワイトブック復号を実施することができるデバイスのみが、ホワイトブック符号化されたビデオコンテンツを正確に再生することができる。コンピュータ実行可能コードを含んでいるコンピュータ・データは、イエローブック仕様に従って符号化される。
【００１０】
（発明の概要）
レッドブック・フォーマットで保持されたデータと、そのデータを変換するためにイエローブック・フォーマットで保持された実行可能コードとを含むＣＤを記録および再生するための方法と装置について記述する。本発明の一実施態様では、ＣＤには、イエローブック符号化フォーマットで保持されたコンピュータ実行可能コードを記憶する第１部分と、レッドブック符号化フォーマットで保持されたデータを含んでいる第２部分とが含まれる。レッドブック符号化フォーマットで保持されたデータは、レッドブック非符号化フォーマットで保持された変換済みコンテンツを表す現在再生不可能データからレッドブック符号化される。変換済みコンテンツは入力コンテンツから変換される。コンピュータ実行可能コードにより、コンピュータが実行したとき、コンピュータは、レッドブック符号化フォーマットで保持されたデータを光学的に読み取り、レッドブック符号化フォーマットで保持されたデータを現在再生不可能データにレッドブック復号し、現在再生不可能データを入力コンテンツをほぼ表す現在再生可能再構築データに変換する。変換は、コンピュータ実行可能コードに表された少なくとも１つの解凍ルーチンにより達成される。入力コンテンツは、入力ビデオコンテンツや、レッドブック符号化フォーマットによって可能になるサンプリング周波数より高いサンプリング周波数でサンプリングされた入力音声コンテンツ、レッドブック符号化フォーマットによって可能になるワード長より長いワード長でサンプリングされた入力音声コンテンツなどとすることが可能である。
【００１１】
本発明の実施形態は、以下の記述とそのような実施形態を示す添付の図面とを参照することによって、最適に理解することが可能である。本明細書に含まれている図の番号は、図の所与の要素の最初の番号が、図の番号と関連するような方式で付けられている。しかし、要素の番号は、異なる図を通して同じである要素に対しては同じである。
【００１２】
（詳細な説明）
以下の記述では、本発明の完全な理解を提供するために、多くの特有の詳細を記述する。しかし、本発明は、これらの特有の詳細を必要とせずに実施することが可能であることを理解されたい。他の事項については、本発明をあいまいにしないように、よく知られている回路、構造、および技術については、詳細に示していない。以下の多くの箇所において、「圧縮」による低減、または「解凍」による拡張が含まれている変換が実施されているデータについて記述する。これらの場合のそれぞれでは、変換に含まれるデータ処理は、エラー訂正のためのデータを挿入すること、または挿入されたエラー訂正データを抽出し、それを使用して、データ・ストリームに存在する可能性のあるエラーを訂正することを含むことが可能である。
【００１３】
図１Ａは、本発明の実施形態による、レッドブック符号化フォーマットで保持された様々なタイプのコンテンツをＣＤに記憶することを示すデータ流れ図である。事前レッドブック符号化変換（圧縮を含む）ユニット１０１において、入力ジェネリック・コンテンツ１１０は、レッドブック非符号化フォーマット１１１で保持された現在再生不可能データによって表された変換済みジェネリック・コンテンツに変換される。ある実施形態では、入力ジェネリック・コンテンツ１１０は、ビデオコンテンツ、レッドブック符号化フォーマットによって可能になるサンプリング周波数より高いサンプリング周波数でサンプリングされた音声コンテンツ、およびレッドブック符号化フォーマットによって可能になるワード長より長いワード長でサンプリングされた音声コンテンツの１つまたは複数であり、代替実施形態では、入力ジェネリック・コンテンツ１１０は任意のコンテンツとすることができる。
【００１４】
ビデオコンテンツは、モーション・ビデオコンテンツまたは静止ビデオコンテンツなどである。静止ビデオコンテンツは、単一画像であり、一方運動ビデオコンテンツには、連続して表示される画像（しばしばフレームと呼ばれる）のシーケンスが含まれる。モーション・ビデオコンテンツは、特定のフレーム・レートで表示されたとき、人間の目に「実時間」の動きに見えるフル・モーション・ビデオコンテンツである。静止ビデオコンテンツとモーション・ビデオコンテンツの各画像とは、画素と呼ばれるいくつかの要素を備える（たとえば、６４０×４８０の画像は、３００，０００を超える画素を備える）。各画素は、その画素の特性（色、輝度など）を表す１つまたは複数の２進数によって表される。通常の画像の画素の数を考慮すると、解凍した静止ビデオコンテンツまたはモーション・ビデオコンテンツを記憶および／送信するには、比較的大量のコンピュータ記憶空間および／または帯域幅を必要とする。したがって、記憶空間および／または帯域幅の要件を低減するために、様々な圧縮技術が使用されることが多い。
【００１５】
事前レッドブック符号化変換ユニット１０１によって実施される変換には圧縮が含まれる。あらゆる数のよく知られたまたは将来開発される圧縮技術を使用することができる。使用する特定の圧縮技術は、圧縮する入力コンテンツのタイプに対応することが可能である。たとえば、入力コンテンツのタイプがモーション・ビデオコンテンツである場合、圧縮は、ＭＰＥＧ−４圧縮、ＭＰＥＧ−２圧縮、ＭＰＥＧ−１圧縮などとすることが可能である。他の例では、コンテンツのタイプが静止ビデオコンテンツである場合、圧縮は、ＪＩＦＦ圧縮、ＴＩＦＦ圧縮、ＪＰＥＧ圧縮などとすることが可能である。さらに他の例では、コンテンツのタイプがテキストである場合、ＰＫＺＩＰ圧縮を使用することが可能である。
【００１６】
上述したように、事前レッドブック符号化変換ユニット１０１によって実施される変換は、エラー訂正用のデータを挿入することも含むことが可能である。レッドブック符号化は、以下で議論するように、事前レッドブック符号化変換ユニット１０１によって提供されたエラー訂正とは別のあるエラー訂正を備えるが、レッドブック符号化によって別個に提供されたエラー訂正は、いくつかのタイプのコンテンツには十分なエラー訂正を実施できない可能性がある。これは、主に、レッドブック符号化によって提供されたエラー訂正が、特に音声コンテンツ用に適合されているからである。音声コンテンツでは、破損データの省略を可能にするエラー訂正方式が許容可能である。時間の一点で符号化された音声コンテンツは、時間のあらゆる他の点で符号化された音声コンテンツと独立であり、したがって、コンテンツ全体は、破損データが気付かれずに省略されるにもかかわらず依然として一貫している。これは、モーション・ビデオコンテンツなどビデオコンテンツのある形態には当てはまらない。時間の一点で符号化されたビデオコンテンツは、時間の他点で符号化されたビデオコンテンツに依存する可能性がある（たとえば、ビデオの１つのフレームの符号化は、ビデオの先行フレームの変化を単に参照するだけである可能性がある、またはいくつかのフレームは、一緒に表される可能性がある）。その結果、破損データの省略に備えるレッドブック符合化によって提供されたエラー訂正は、いくつかのタイプのコンテンツと共に使用されたとき単独では不十分である。したがって、いくつかのタイプのコンテンツでは、エラー訂正データが、レッドブック符号化によって提供されたものに追加されることが望ましい。事前レッドブック符号化変換ユニット１０１によって挿入されたエラー訂正データは、これらのタイプのコンテンツと共に使用するのに適している。事前レッドブック符号化変換ユニット１０１は、識別子を追加挿入することが可能である。この識別子は、１ビット程度に小さくすることが可能であり、エラー訂正データが、事前レッドブック符号化変換ユニット１０１によって挿入されたかを識別する。この識別子は、挿入されたエラー訂正データのタイプを識別することも可能である。このエラー訂正データについて、事後レッドブック復号変換ユニット１０７に関して以下でより多くを開示する。
【００１７】
レッドブック符号化ユニット１０２において、レッドブック非符号化フォーマット１１１で保持された現在再生不可能データによって表された変換済みジェネリック・コンテンツは、レッドブック符号化フォーマット１１２で保持されるデータに、レッドブック符号化される。光学記録ユニット１０３において、レッドブック符号化フォーマット１１２で保持されたデータは、ＣＤ１０４上に光学的に記録される。様々な実施形態が、ユニット１０２と１０３を異なるように実施することが可能であるが（既存の構成要素および／またはデバイスの使用を含む）、これらのユニットの基本的なオペレーションは、よく知られたレッドブック仕様に従って実施される。入力ジェネリック・コンテンツは、レッドブック非符号化フォーマット１１１で保持される現在再生不可能データに変換され、かつレッドブック仕様に従ってＣＤ上に記憶されたので、レッドブック仕様に従って符号化されたＣＤを復号するために開発された既存のＣＤ構成要素および／またはデバイスを使用して、ＣＤ１０４から、レッドブック非符号化フォーマット１１１で保持される現在再生不可能データを生成することができる。
【００１８】
図１Ｂは、本発明の実施形態による、レッドブック符号化フォーマットで保持された様々なタイプのコンテンツをＣＤから検索することを示すデータ流れ図である。光学読取りユニット１０５において、レッドブック符号化フォーマット１１２で保持されたデータはＣＤ１０４から読み取られる。レッドブック復号ユニット１０６において、レッドブック符号化フォーマット１１２で保持されたデータが、レッドブック非符号化フォーマット１１１で保持される現在再生不可能データによって表される変換済みジェネリック・コンテンツにレッドブック復合される。様々な実施形態が、ユニット１０５と１０６を異なるように実施することが可能であるが、これらのユニットの基本的なオペレーションは、よく知られたレッドブック仕様に従って実施される。したがって、上記で示したように、レッドブック仕様に従って符号化されたＣＤを復号するために開発された既存のＣＤ構成要素および／またはデバイスを使用することができる。
【００１９】
事後レッドブック復号（解凍を含む）ユニット１０７において、レッドブック非符号化フォーマット１１１で保持された現在再生不可能データによって表された変換済みジェネリック・コンテンツは、入力ジェネリック・コンテンツ１１０をほぼ表す現在再生可能再構築データ１１３に変換される。この変換には、解凍が含まれる。このようにして、レッドブック仕様は、使用することを意図した情報以外の情報の移送手段として使用される。
【００２０】
たとえば、レッドブック符号化して、ＣＤ上に記録する前に圧縮され、したがって、ＣＤから検索を読み取り、レッドブック復号した後に対応して解凍されることになるビデオコンテンツを移送するために、レッドブック仕様を使用することができる。ビデオコンテンツは、レッドブック符号化されるが、必ずしもホワイトブック符号化されないので、ホワイトブック復号ユニットは、ＣＤからビデオコンテンツを再生するのために必要ではない。ＣＤからビデオコンテンツを再生するのはデジタル・ビデオ・ディスク（「ＤＶＤ」）からビデオコンテンツを再生するより安価であるが、その理由は、ＣＤは、通常、ＤＶＤより安価であり、ＣＤ再生デバイスは、通常、ＤＶＤ再生デバイスより安価であるからである。
【００２１】
他の例を提供すると、レッドブック符号化して、ＣＤ上に記憶する前に圧縮され、したがって、ＣＤから検索を読み取りレッドブック復号した後、対応して解凍されなければならないより高品質の音声コンテンツ（レッドブック符号化フォーマットによって可能になるサンプリング周波数より高いサンプリング周波数、またはレッドブック符号化フォーマットによって可能になるワード長より長いワード長でサンプリングされたより高いビット・レートを有する音声コンテンツ）を保持するために、レッドブック仕様を使用することができる。しかし、既存の構成要素および／またはデバイスを使用して、現在再生不可能データを検索し、レッドブック復号することができ、したがって、事後レッドブック復号変換ユニット１０７だけが必要である。
【００２２】
他の例として、ＭＰＥＧ層を通してなど、ある圧縮方式によりすでに圧縮されたコンテンツを保持するために、レッドブック仕様を使用することができる。これにより、ＭＰ３音声ファイルおよび／またはＭＰＥＧビデオ・ファイルなど、そのようなコンテンツのより多くをＣＤに記憶することが可能になる。
【００２３】
他の例として、レッドブック仕様を使用して、レッドブック仕様が通常可能であるチャネルの数より多くのチャネルを有するコンテンツを保持することができる。レッドブック仕様は、通常、再生されたときにステレオ効果を生成する左チャネルと右チャネルのわずかに２チャネルを見込んでいる。しかし、本発明の一実施形態によれば、３つ以上のチャネルを保持して、リスナの周囲の様々な複数源から発生する音声の効果を生成するようにレッドブック仕様を使用することができる。より多くのチャネルを追加することは、各チャネルがいくつかのビットを搬送するので、入力音声のビット・レートを増大させることを本質的に意味する。上記で議論したように、圧縮を使用することにより、より大きなビット・レートをレッドブック符号化フォーマットで記憶することができる。したがって、本発明の一実施形態によれば、「サラウンド・サウンド」をレッドブック符号化フォーマットでＣＤ上に保持することができる。
【００２４】
事後レッドブック復号変換ユニット１０７は、事前レッドブック符号化変換ユニット１０１によって以前に挿入されたエラー訂正データを使用して、伝送の際に生じた可能性があるエラーを訂正することも可能である。事後レッドブック復号変換ユニット１０７は、このエラー訂正データを含んでいるデータを変換することができ、またそのようなエラー訂正データが欠如しているデータをも変換することができる。事後レッドブック復号変換ユニット１０７は、上記で議論した事前レッドブック符号化変換ユニット１０１によって挿入された識別子を読み取ることによって、そのようなエラー訂正データが存在するかを検出することが可能である。事後レッドブック復号変換デバイス１０７は、スイッチまたは他の選択機構を含むことが可能であり、このスイッチまたは他の選択機構は、そのスイッチの現在のセッティングに応じて、事後レッドブック復号変換デバイス１０７がそのようなエラー訂正を実施する、またはそのようなエラー訂正を実施しないように動作することができるものである。
【００２５】
図１Ａと１Ｂのユニットは、様々な異なるデバイス構成に実装することができる。実際、図１Ａと１Ｂの両方のオペレーションを実施する、あるデバイスを実装することができる。いくつかの例を提供するために、ここで図２と３について記述する。
【００２６】
図２Ａは、本発明の一実施形態による、インカミング変換デバイス（ｉｎｃｏｍｉｎｇ　ｃｏｎｖｅｒｓｉｏｎ　ｄｅｖｉｃｅ）を示すブロック図である。事前レッドブック符号化変換（圧縮を含む）ユニット１０１がレッドブック符号化ユニット１０２と結合される。レッドブック符号化ユニット１０２は光学記録ユニット１０３に結合される。光学記録ユニット１０３は、レッドブック符号化フォーマットで保持されたデータをＣＤ１０４上に光学的に記録することができる。本発明の一実施形態では、事前レッドブック符号化変換ユニット１０１と、レッドブック符号化ユニット１０２と、光学記録ユニット１０３とは、インカミング変換デバイス２０１に含まれるが、本発明の代替実施形態では、これらのユニットは、１つまたは複数の別々のデバイスに実装することが可能である。
【００２７】
多くの既存のＣＤ再生デバイスにはデジタル出力コネクタが含まれる。デジタル出力コネクタは、ＣＤ再生デバイスの出力をＣＤ再生デバイスの外部のデジタル・アナログ変換器に直接接続するように設計されている。
【００２８】
図２Ｂは、本発明の一実施形態による、ＣＤ再生デバイスのデジタル出力コネクタと取外し式に結合されたアウトゴーイング変換デバイスを示すブロック図である。光学読取りユニット１０５はＣＤ１０４からデータを光学的に読み取ることができる。光学読取りユニット１０５は、レッドブック復号ユニット１０６と結合される。レッドブック復号ユニット１０６は、デジタル出力コネクタ１０８と結合される。デジタル出力コネクタ１０８は、事後レッドブック復号変換（解凍を含む）ユニット１０７と取外し式に結合される。
【００２９】
図２Ｂでは、光学読取りユニット１０５と、レッドブック復号ユニット１０６と、デジタル出力コネクタ１０８とは、ＣＤ再生デバイス２０２に含まれ、事後レッドブック復号変換（解凍を含む）ユニット１０７は、ＣＤ再生デバイス２０２とは別個のアウトゴーイング変換デバイス２０３に含まれる。アウトゴーイング変換デバイス２０３には、事後レッドブック復号変換（解凍を含む）ユニット１０７と結合され、デジタル出力コネクタ１０８と取外し式に結合される入力が含まれる。
【００３０】
事後レッドブック復号変換ユニット１０７は、ＣＤ再生デバイス２０２とは別個なので、ＣＤ再生デバイス２０２は、事後レッドブック復号変換を実施することができるように修正する必要はなく、デジタル出力コネクタを有するレッドブック仕様を取り扱うように設計された標準的なＣＤ再生デバイスとすることができる。さらに、標準的なＣＤ再生デバイスを使用するが、デバイスによって再生することを意図したもの以外のコンテンツを、アウトゴーイング変換デバイス２０３を接続したデバイスを通して再生することができる。たとえば、ビデオコンテンツが記憶された場合、そのビデオコンテンツを、音声のみを再生するように設計されたＣＤ再生デバイスから再生することができる。当然、ビデオコンテンツだけでなく、ＣＤから入手可能であったものより高品質の音声コンテンツおよびコンテンツの様々な他の形態も、このようにして再生することができる。
【００３１】
さらに、アウトゴーイング変換デバイス２０３は、比較的安い費用で製作し、頒布することができる。本発明の一実施形態では、アウトゴーイング変換デバイス２０３は、特有のタイプのコンテンツ（たとえばビデオ）を変換するように設計することが可能である。本発明の一実施形態では、アウトゴーイング変換デバイス２０３は、メール・システムにより、大量に分配することができる。ある文化では、ホワイトブック符号化ビデオコンテンツを含んでいるＣＤをマスメールすることが一般的である。ビデオコンテンツの中身は、他の可能性の中でも、宣伝または実演とすることが可能である。アウトゴーイング変換デバイス２０３は、安価に、かつ雑誌および新聞などの料金別納割引郵便材料に包含されるように十分寸法を小さくかつ軽量に作成することができるので、ＣＤ１０４などのＣＤは、アウトゴーイング変換デバイス２０３でマスメールし、次いで、受信者がホワイトブック復号を実施することができる装置を欠いている場合でも、受信者によって再生することができるようにすることが実現可能である。
【００３２】
アウトゴーイング変換デバイス２０３は様々な構成に実装することができる。たとえば、アウトゴーイング変換デバイス２０３は、別個のデバイスが取外し式に結合されるデジタル出力コネクタを含むことができる。そのような別個のデバイスは、入力ビデオコンテンツに応じて、様々な形態を取ることができる。たとえば、別個のデバイスは、デジタル・アナログ変換器、ＴＶ、モニタなどを含んでいる受信器とすることができる。より詳細な例を提供するために、次を想定する：１）既存のシステムは、デジタル出力コネクタが受信器に取外し式に結合されたＣＤ再生デバイス（図２の装置のようなもの）を含み、受信器はそれに接続されたスピーカを有する；２）合成音声を有するビデオコンテンツは本明細書に記述したように記憶される；３）アウトゴーイング変換デバイスには、ビデオ・アウト・コネクタ（Ｓビデオ、アナログ・ビデオなど）と音声出力コネクタとが含まれる。この音声出力コネクタは、アナログ音声出力コネクタまたはデジタル音声出力コネクタとすることが可能である。アウトゴーイング変換デバイス２０３は、ＣＤ再生デバイスのデジタル出力コネクタを出力変換デイバス２０３に取外し式に結合し、かつアウトゴーイング変換デバイスの音声出力コネクタを受信器に取外し式に結合することによって、ＣＤ再生デバイスと受信器の間に挿入される。さらに、アウトゴーイング変換デバイスのビデオ・アウト・コネクタは、ビデオ再生デバイスに取外し式に結合される。
【００３３】
上記の例のシステムは、この段階で、デバイスを取り替える／更新する必要なく、単にこの比較的安価なアウトゴーイング変換デバイス２０３を挿入することによって、合成音声コンテンツを有するビデオを保持しているレッドブック仕様ＣＤを再生することになる。
【００３４】
さらに、アウトゴーイング変換デバイス２０３は、バイパス・モードで動作するように、および／または異なるタイプのコンテンツ間で切り替わるように実施するまたは実施しないことが可能であることを理解されたい。たとえば、上記の例示的なシステムで使用される一実施形態は、バイパス・モード（アウトゴーイング変換デバイスを挿入する前にシステムが実施した音声ＣＤの再生用）と動作モード（合成音声コンテンツを有するビデオを保持しているレッドブック仕様ＣＤの再生用）の間で切り替わる（たとえば、手動スイッチ、受信されている信号に基づく遠隔自動検出のコマンドなどに応答して）ように実施することができるが、代替実施形態はそのようなバイパス・モードを含まないことも可能である。
【００３５】
上記の音声／ビデオ・システム構成は、単なる例であり、多くの他の較正が可能である。他の例を挙げると、アウトゴーイング変換デバイスは、ＴＶのビデオ・コネクタと音声コネクタに取外し式に結合することができる。先行例で言及した受信器の機能は、アウトゴーイング変換デバイス２０３自体に組み込むことが可能である。この構成は、ＣＤ再生デバイスが携帯式であり、別の受信器を移送することが望ましくない場合、特に有用である可能性がある。そのような構成では、ビデオ・アウト・コネクタと音声出力コネクタは、両方とも、スピーカを含むＴＶに取外し式に結合される。他の例を挙げると、事後レッドブック復号変換ユニットは、別個のデバイスとは対照的に、他のデバイス（受信器、ＴＶなど）の一部とすることが可能である。
【００３６】
図３は、本発明の一実施形態による、事後レッドブック復号変換（解凍を含む）ユニットを組み込んでいるＣＤ再生デバイスを示すブロック図である。光学読取りユニット１０５は、ＣＤ１０４から、データを光学的に読み取ることができる。光学読取りユニット１０５は、レッドブック復号ユニット１０６と結合される。レッドブック復号ユニット１０６は、事後レッドブック復号変換（解凍を含む）ユニット１０７と結合される。本発明の一実施形態では、光学読取りユニット１０５と、レッドブック復号ユニット１０６と、事後レッドブック復号変換（解凍を含む）ユニット１０７とは、ＣＤ再生デバイス３０１に含まれる。
【００３７】
図４Ａは、本発明の一実施形態による、レッドブック符号化フォーマットで保持された様々なタイプのコンテンツを変調して、ＣＤに記憶することを示すデータ流れ図である。図示したデータとユニットは、図１Ａに示したものと同様であるが、いくつか中間に追加されている。変調ユニット４０２において、レッドブック非符号化フォーマット１１１で保持された現在再生不可能データによって表された変換済みジェネリック・コンテンツは、デジタル変調データ４０３に変調される。この変調はデジタル・アナログ変換を含む必要はない。変調は、デジタル・フィルタで実施することが可能である。したがって、変調ユニット４０２によって受信されたデータと変調ユニット４０２によって出力されたデータとは、依然としてデジタル形態である。変調は、モデム（たとえばＶ．３４、Ｖ．４２など）によって使用される様々な標準プロトコルのいずれかに従うことが可能である。変調はエラー訂正コードの追加を含むことが可能である。しかし、変調ユニット４０２は、通常のモデムの機能のすべてを含む必要はない。変調ユニットは、あるビット・レート（たとえば毎秒５６キロビット）で動作する。レッドブック符号化ユニット１０２において、デジタル変調データ４０３は、レッドブック符号化フォーマット１１２で保持されるデータにレッドブック符号化される。変調を実施する理由は、以下の開示から明らかになるであろう。
【００３８】
図４Ｂは、本発明の一実施形態による、レッドブック符号化フォーマットで保持された様々なタイプのコンテンツをＣＤから検索し、復調することを示すデータ流れ図である。図示したデータとユニットは、図１Ｂに示したものと同様であるが、いくつか中間に追加されている。レッドブック復号ユニット１０６において、レッドブック符号化フォーマット１１２で保持されたデータがデジタル変調データ４０３にレッドブック復号される。デジタル・アナログ変換器４０４において、デジタル変調データ４０３がアナログ変調データ４０５に変換される。低域通過フィルタ４０６において、アナログ変調データ４０５がろ過されて、ろ過済みアナログ変調データ４０７を生成する。アナログ・デジタル変換器４０８において、ろ過済みアナログ変調データ４０７は、ろ過済みデジタル変調データ４０９に変換される。先行ユニットによって実施されたオペレーションの１つまたは複数により、エラーが議論したデータに導入されることがある。したがって、エラー訂正ユニット４１０において、ろ過済みデジタル変調データ４０９をエラー訂正して、エラー訂正済みデジタル変調データ４１１を生成する。復調ユニット４１２において、エラー訂正済みデジタル変調データ４１１は、レッドブック非符号化フォーマット１１１で保持される現在再生不可能データに復調される。復調は、モデム（Ｖ．３４、Ｖ．４２など）によって使用される様々な標準プロトコルのいずれかに従うことが可能である。しかし、復調ユニット４０２は、通常のモデムの機能のすべてを含む必要はない。たとえば、復調ユニット４０２は、多くの標準的なモデムに見られるようなエコー消去の機能を含む必要はない。復調ユニットは、あるビット・レート（毎秒５６キロビットなど）で動作する。復調を実施する理由は、以下の議論から明らかになるであろう。
【００３９】
図４Ａと４Ｂのユニットは、様々な異なるデバイス構成に実装することができる。実際、図４Ａと４Ｂの両方のオペレーションを実施する、あるデバイスを実現することができる。いくつかの例を提供するために、ここで図５Ａと５Ｂについて記述する。
【００４０】
図５Ａは、本発明の一実施形態による、変調ユニットを含んでいるインカミング変換デバイスを示すブロック図である。事前レッドブック符号化変換（圧縮を含む）ユニット１０１は、変調ユニット４０２と結合される。変調ユニット４０２は、レッドブック符号化ユニット１０２と結合される。レッドブック符号化ユニット１０２は、光学読取りユニット１０３と結合される。光学記録ユニット１０３は、レッドブック符号化フォーマットで保持されたデータをＣＤ１０４上に光学的に記録することができる。本発明の一実施形態では、事前レッドブック符号化変換ユニット１０１と、変調ユニット４０２と、レッドブック符号化ユニット１０２と、光学記録ユニット１０３とは、インカミング変換デバイス２０１に含まれるが、本発明の代替実施形態では、これらのユニットは、１つまたは複数の別個のデバイスに実装することが可能である。
【００４１】
多くの既存のＣＤ再生デバイスには、１つまたは複数のアナログ出力コネクタが含まれる。アナログ出力コネクタは、ＣＤ再生デバイスの出力を、ＣＤ再生デバイスの外部のスピーカまたはヘッドフォンに直接接続するように設計されている。
【００４２】
図５Ｂは、本発明の一実施形態による、ＣＤ再生デバイスの１つまたは複数のアナログ出力コネクタと取外し式に結合されたアウトゴーイング変換デバイスを示すブロック図である。光学読取りユニット１０５は、ＣＤ１０４からデータを光学的に読み取ることができる。光学読取りユニット１０５は、レッドブック復号ユニット１０６と結合される。レッドブック復号ユニット１０６は、デジタル・アナログ変換器４０４と結合される。デジタル・アナログ変換器４０４は、低域通過フィルタ４０６と結合される。低域通過フィルタ４０６は、１つまたは複数のアナログ出力コネクタ５０１と結合される。アナログ出力コネクタ５０１は、アナログ・デジタル変換器４０８と取外し式に結合される。アナログ・デジタル変換器４０８がエラー訂正ユニット４１０と結合される。エラー訂正ユニット４１０は、復調ユニット４１２と結合される。復調ユニット４１２は、事後レッドブック復号変換（解凍を含む）ユニット１０７と結合される。
【００４３】
図５Ｂでは、光学読取りユニット１０５と、レッドブック復号ユニット１０６と、デジタル・アナログ変換器４０４と、低域通過フィルタ４０６と、アナログ出力コネクタ１０８とは、ＣＤ再生デバイス２０２に含まれ、アナログ・デジタル変換器４０８と、エラー訂正ユニット４１０と、復調ユニット４１２と、事後レッドブック復号変換（解凍を含む）ユニット１０７とは、ＣＤ再生デバイス２０２とは別個のアウトゴーイング変換デバイス２０３に含まれる。アウトゴーイング変換デバイス２０３には、アナログ・デジタル変換器４０８と結合され、アナログ出力コネクタ５０１と取外し式に結合される入力が含まれる。アナログ出力コネクタ５０１は、１つまたは複数のアナログ音声出力コネクタ（たとえば左コネクタと右コネクタ）を含むことが可能である。たとえば、アナログ出力コネクタ５０１は、ＲＣＡコネクタとすることが可能である。本発明の代替実施形態では、上記のユニットは、１つまたは複数の別個のデバイスに実装することができる。具体的には、本発明の代替実施形態では、アナログ・デジタル変換器４０８、エラー訂正ユニット４１０、復調ユニット４１２、および事後レッドブック復号復調ユニット１０７の１つまたは複数は、デジタル信号プロセッサ（「ＤＳＰ」）に含むことが可能であり、および／またはソフトウエアに実装することが可能である。
【００４４】
図５Ｂに示した本発明の実施形態は、上記の図１Ｂに示した本発明の実施形態と同様に動作する。しかし、図１Ｂのデジタル出力コネクタ１０８を使用する代わりに、図５Ｂに示した本発明の実施形態は、アナログ出力コネクタ５０１を使用する。したがって、デジタル出力コネクタが欠如しているＣＤ再生デバイスでさえ、アウトゴーイング変換デバイス２０３と取外し式に結合して、上記の図１Ｂに示した本発明の実施形態と同様に動作するようにすることが可能である。復調ユニット４１２は、アナログ出力コネクタ５０１を通して送信された信号を、事後レッドブック復号変換（解凍を含む）ユニット１０７によって使用可能な信号に復調する。したがって、事後レッドブック復号変換（解凍を含む）ユニット１０７は、図５Ｂに示した本発明の実施形態で使用するために、図１Ｂに示したユニットから修正する必要はない。本発明の一実施形態では、アウトゴーイング変換デバイス２０３には、図１Ｂに示したような、ＣＤ再生デバイスのデジタル出力コネクタに取外し式に結合されるデジタル入力と、図５Ｂに示したような、ＣＤ再生デバイスのアナログ出力コネクタに取外し式に結合される１つまたは複数の音声入力との両方が含まれる。
【００４５】
図６は、本発明の一実施形態による、ＣＤの第１部分にレッドブック・フォーマットで保持されたデータを含み、かつそのデータを変換するために、ＣＤの第２部分の上にイエローブック・フォーマットで保持された実行可能コードを含むＣＤを示すブロック図である。ＣＤには、第１部分６０１と第２部分６０２が含まれる。第１部分６０１は、図１Ａおよび１Ｂのレッドブック符号化フォーマット１１２で保持されたデータを記憶する。
【００４６】
第２部分６０２は、イエローブック符号化フォーマットで保持されたコンピュータ実行可能コードを記憶する。このコンピュータ実行可能コードには、１）事後レッドブック復号変換ユニット１０７のソフトウエア実施と、２）コンピュータのＣＤ再生デバイスに、第１部分のデータを光学的に読み取り／レッドブック復号させ、かつ事後レッドブック復号変換のソフトウエア実施による変換のために、そのデータを提供させる命令とが含まれる。データの変換の他に、事後レッドブック復号変換のソフトウエア実施により、結果的な変換済みデータを適切な出力デバイス（サウンド・カード、スピーカ、ビデオ・カードなど）に提供される。
【００４７】
コンピュータによって実行したとき、このコンピュータ実行可能コードにより、コンピュータは、そのコンピュータの既存のＣＤドライブによる光学読取りを呼び出すことによって、レッドブック符号化フォーマット１１２で保持されたデータを光学的に読み取る。コンピュータ実行可能コードにより、さらに、コンピュータは、そのコンピュータの既存ＣＤドライブによるレッドブック復号を呼び出すことによって、レッドブック符号化フォーマット１１２で保持されたデータを、図１Ａおよび１Ｂのレッドブック非符号化フォーマット１１１で保持される現在再生不可能データによって表される変換済みジェネリック・コンテンツにレッドブック復号する。コンピュータ実行可能コードにより、さらに、コンピュータは、レッドブック非符号化フォーマット１１１で保持された現在再生不可能データによって表された変換済みジェネリック・コンテンツを、図１Ａおよび１Ｂの入力ジェネリック・コンテンツ１０１をほぼ表す現在再生可能再構築データ１１３に変換する。この変換は、コンピュータ実行可能コードに表された少なくとも１つの解凍ルーチンにより達成される。したがって、コンピュータは、変換を実施するために、既存のハードウエアの他に、専用ハードウエアを有する必要はない。変換は、コンピュータ実行可能コード自体によって対処される。コンピュータ実行可能コードは、図１Ｂの事後レッドブック復号変換（解凍を含む）ユニット１０７において実施される解凍を実施するためにコンピュータによって使用される解凍ルーチンを表す。
【００４８】
要約すると、コンピュータ実行可能コードは、事後レッドブック復号変換（解凍を含む）ユニット１０７が、図２ＢのＣＤ再生デバイス２０１に対して実施するのと同じ機能をコンピュータに対して実施する。ＣＤ再生デバイス２０１が、事後レッドブック復号変換（解凍を含む）ユニット１０７を含む必要がないのと同じように、コンピュータも、同様に、ＣＤ６００上でコンピュータ実行可能コードの機能を実施するハードウエアまたはソフトウエアを含む必要はない。レッドブック符号化フォーマットとイエローブック符号化フォーマットを復号することができるＣＤドライブを有するあらゆる市販のコンピュータは、ＣＤ６００を再生することができる。したがって、自分のコンピュータでＣＤ６００を再生することを望む者が取る必要のある唯一の行動は、音声ＣＤを標準的なＣＤ再生デバイスに置くのと同じように、ＣＤ４００を自分のコンピュータのＣＤドライブに置くことである。コンピュータのＣＤドライブが、標準的な自動再生機能を装備しているとすると、ＣＤ６００の再生を望む者は、ＣＤ６００を再生するために、ソフトウエアのインストールを実施する必要がなく、またはあらゆるアプリケーションを手作業で開始する必要がない。コンピュータのＣＤドライブは、コンピュータ実行可能コードを認識して、自動的にそれを実行し、次いで、コンピュータ実行可能コードにより、音声（ＣＤ−ＲＯＭではなく）フォーマットで符号化されたデータの読取り、変換、および再生が行われる。
【００４９】
本発明の一実施形態では、第２部分６０２には、ＩＢＭ互換性コンピュータによって読取り可能なセクションと、マッキントッシュ互換性コンピュータによって読取り可能なセクションとが含まれる。両方のセクションとも、イエローブック符号化フォーマットで保持されたコンピュータ実行可能コードを含む。ＩＢＭ互換性コンピュータによって読取り可能なセクションに含まれたコンピュータ実行可能コードは、ＩＢＭ互換性コンピュータによって実行することができる。マッキントッシュ互換性コンピュータによって読取り可能なセクションに含まれたコンピュータ実行可能コードは、マッキントッシュ互換性コンピュータによって実行することができる。他の種類のコンピュータと互換性のあるセクションは、本発明の変形実施形態では、これらのセクションと共に同様に含むか、またはこれらのセクションの代用とすることが可能である。
【００５０】
本発明の一実施形態では、第１部分６０１には、識別子が含まれ、識別子は、第１部分６０１に記憶されたデータによって表されるコンテンツのタイプ（たとえばビデオ）を識別する。異なるコンテンツのそれぞれに対し、異なる変換方式を使用することが可能なので、識別子は、そのタイプのコンテンツに適切な変換方式を選択するために、コンピュータ実行可能コードによって使用することができる。また、識別子は、事後レッドブック復号変換（解凍を含む）ユニット１０７によって、同様に使用することができる。識別子は、図１Ａの事前レッドブック符号化変換ユニット１０１によって、第１部分６０１の上に含むことが可能である。
【００５１】
ＣＤ６００を図２Ｂ、３、または５Ｂに示したシステムにおいて使用するとき、ＣＤ６００は、これらの図に示したＣＤ１０４と同様に機能する。したがって、本発明の一実施形態では、ＣＤ６００は、コンピュータ上と、事後レッドブック復号変換（解凍を含む）ユニット１０７に含まれた（図２Ｂおよび５Ｂに示したように）または事後レッドブック復号変換（解凍を含む）ユニット１０７を含む（図３に示したように）ＣＤ再生デバイス上の両方で再生することができる。したがって、音声のみを再生するように設計されたＣＤ再生デバイス上でＣＤ６００のコンテンツを再生することを望む者は、ＣＤ再生デバイスが、出力変換ユニット２０３と取外し式に結合されている場合、依然として再生することが可能である。したがって、ＣＤ６００は、コンピュータとＣＤ再生デバイスの間を携帯可能であり、異なる位置でそのようなデバイスを複製する必要性、またはそのようなデバイスを複数位置に移送する必要性が低減される。
【００５２】
図７は、本発明の一実施形態による、レッドブック・フォーマットで保持されたデータと、そのデータを変換するために、イエローブック・フォーマットで保持された実行可能コードとを含むＣＤの再生を示す流れ図である。処理ブロック７０１において、イエローブック符号化フォーマットで保持されたコンピュータ実行可能コードがＣＤから光学的に読み取られる。コンピュータによって実行したとき、コンピュータ実行可能コードにより、コンピュータは、図６を参照して上述したように実施する。処理ブロック７０２において、コンピュータ実行可能コードを実行する。
【００５３】
図８は、本発明の一実施形態による、レッドブック・フォーマットで保持されたデータと、そのデータを変換するために、イエローブック・フォーマットで保持された実行可能コードとを含むＣＤの記録を示す流れ図である。処理ブロック８０１において、図１Ａと１Ｂのレッドブック符号化フォーマット１１２で保持されたデータはＣＤに光学的に記録される。処理ブロック８０２において、イエローブック符号化フォーマットで保持されたコンピュータ実行可能コードが、ＣＤ上に光学的に記録される。コンピュータによって実行したとき、コンピュータ実行可能コードにより、コンピュータは、図６を参照して上述したように実施する。
【００５４】
本明細書で記述した方法論は、マシンによって実施することが可能であり、マシン読取り可能媒体に含まれている命令を実行することによって、そのようなマシンにこれらの方法論を実施させることが可能である。そのような媒体は、コンピュータ・システムを含むことが可能である。例示的なコンピュータ・システムには、バスによって記憶デバイスに結合されたプロセッサが含まれる。記憶デバイスは、ハード・ディスク・ドライブ、ＣＤドライブなどとすることが可能である。さらに、キーボードおよびディスプレイなど、いくつかのユーザ入力／出力デバイスもバスに結合することが可能である。ネットワークも、バスに結合することが可能である。プロセッサは、ＣＩＳＣ、ＲＩＳＣ、ＶＬＩＷ、またはハイブリッド・アーキテクチャなど、あらゆるタイプのアーキテクチャの中央処理ユニットを表す。さらに、プロセッサは、１つまたは複数のチップ上に実装することができる。本明細書では、「マシン読取り可能媒体」という用語は、マシン（コンピュータなど）によって読取り可能な形態で情報を提供する（すなわち記憶するおよび／または伝送する）あらゆるマシンを含むと取るべきである。たとえば、マシン読取り可能媒体には、読取り専用メモリ（ＲＯＭ）、ランダム・アクセス・メモリ（ＲＡＭ）、磁気ディスク記憶媒体、光学記憶媒体、フラッシュ・メモリ・デバイス、電波信号（搬送波、赤外線信号、デジタル信号など）の電気形態、光学形態、音響形態、または他の形態などが含まれる。
【００５５】
本発明をいくつかの実施形態に関して記述してきたが、当業者なら、本発明は、記述した実施形態に限定されないことを理解するであろう。本発明の方法と装置は、添付の請求項の精神と範囲内において、修正と変更を実施することができる。したがって、記述は、本発明に関する限定の代わりに、例示と見なされるべきである。
【図面の簡単な説明】
【図１】Ａ：本発明の実施形態による、レッドブック符号化フォーマットで保持された様々なタイプのコンテンツをＣＤ上に記憶することを示すデータ流れ図である。
Ｂ：本発明の実施形態による、レッドブック符号化フォーマットで保持された様々なタイプのコンテンツをＣＤから検索することを示すデータ流れ図である。
【図２】Ａ：本発明の一実施形態による、インカミング変換デバイスを示すブロック図である。
Ｂ：本発明の一実施形態による、ＣＤ再生デバイスのデジタル出力コネクタと取外し式に結合されたアウトゴーイング変換デバイスを示すブロック図である。
【図３】本発明の一実施形態による、事後レッドブック復号変換（解凍を含む）ユニットを組み込んでいるＣＤ再生デバイスを示すブロック図である。
【図４】Ａ：本発明の一実施形態による、レッドブック符号化フォーマットで保持された様々なタイプのコンテンツを変調して、ＣＤ上に記憶することを示すデータ流れ図である。
Ｂ：本発明の一実施形態による、レッドブック符号化フォーマットで保持された様々なタイプのコンテンツをＣＤから検索して、復調することを示すデータ流れ図である。
【図５】Ａ：本発明の一実施形態による、変調ユニットを含んでいるインカミング変換デバイスを示すブロック図である。
Ｂ：本発明の一実施形態による、ＣＤ再生デバイスのアナログ出力コネクタと取外し式に結合されたアウトゴーイング変換デバイスを示すブロック図である。
【図６】本発明の一実施形態による、ＣＤの第１部分上にレッドブック・フォーマットで保持されたデータを含み、かつそのデータを変換するために、ＣＤの第２部分上にイエローブック・フォーマットで保持された実行可能コードを含んでいるＣＤを示すブロック図である。
【図７】本発明の一実施形態による、レッドブック・フォーマットで保持されたデータと、そのデータを変換するために、イエローブック・フォーマットで保持された実行可能コードとを含むＣＤの再生を示す流れ図である。
【図８】本発明の一実施形態による、レッドブック・フォーマットで保持されたデータと、そのデータを変換するために、イエローブック・フォーマットで保持された実行可能コードとを含むＣＤの記録を示す流れ図である。
【図１】
2004005921.tif 000003
【図２】
2004005921.tif 000004
【図３】
2004005921.tif 000005
【図４】
2004005921.tif 000006
【図５】
2004005921.tif 000007
【図６】
2004005921.tif 000008
【図７】
2004005921.tif 000009
【図８】
2004005921.tif 000010